(57)【要約】【課題】マルチカラー光源を用いずカラーブレークレスＦＳ駆動を行なってカラー表示可能な液晶表示装置を提供する。【解決手段】液晶表示装置は、第１及び第２のセグメント表示部を含む液晶表示素子と、少なくとも第１セグメント表示部の下方または側方外側に配置され第１の色の光を放射する第１光源及び第２セグメント表示部の下方に配置され第２の色の光を放射する第２光源を含み、第１、第２セグメント表示部にそれぞれ第１、第２の色の光を入射させるバックライト部材と、１フレームを２サブフレームに分割してＦＳ駆動を行う駆動装置であって、１フレーム当たり一方のサブフレームで第１セグメント表示部を明表示させるとともに第１光源を点灯させ、他方のサブフレームで第２セグメント表示部を明表示させるとともに第２光源を点灯させるように、液晶表示素子及びバックライト部材を制御する駆動装置とを有する。【選択図】図３
2010266746.tif 000002
【特許請求の範囲】
【請求項１】
表示領域内に第１及び第２のセグメント表示部を含む液晶表示素子と、
少なくとも前記第１のセグメント表示部の表示面法線方向下方、または前記第１のセグメント表示部の側方外側に配置され第１の色の光を放射する第１の光源、及び、前記第２のセグメント表示部の下方に配置され前記第１のセグメント表示部の下方には配置されない、前記第１の色と異なる第２の色の光を放射する第２の光源を含み、該第１のセグメント表示部に該第１の色の光を、該第２のセグメント表示部に該第２の色の光を入射させるバックライト部材と、
表示の時間的単位である１フレームを２つのサブフレームに分割してフィールドシーケンシャル駆動を行う駆動装置であって、１フレーム当たり、一方のサブフレームで前記第１のセグメント表示部を明表示させるとともに前記第１の光源を点灯させ、他方のサブフレームで前記第２のセグメント表示部を明表示させるとともに前記第２の光源を点灯させるように、前記液晶表示素子及び前記バックライト部材を制御して、前記第１及び第２のセグメント表示部をそれぞれ前記第１及び第２の色で表示する駆動装置と
を有する液晶表示装置。
【請求項２】
前記液晶表示素子は、さらに第３のセグメント表示部を含み、該第３のセグメント表示部は、前記第１のセグメント表示部を挟んで前記第２のセグメント表示部と離れており、
前記バックライト部材は、さらに、前記第３のセグメント表示部の下方に配置され前記第１及び第２のセグメント表示部の下方には配置されない、前記第１及び第２の色とは異なる第３の色の光を放射する第３の光源を含み、該第３のセグメント表示部に該第３の色の光を入射させ、
前記駆動装置は、前記他方のサブフレームで、さらに、前記第３のセグメント表示部を明表示させるとともに前記第３の光源を点灯させるように、前記液晶表示素子及び前記バックライト部材を制御して、該他方のサブフレームで、前記第２のセグメント表示部を前記第２の色で表示すると同時に、該第３のセグメント表示部を該第３の色で表示する請求項１に記載の液晶表示装置。
【請求項３】
前記液晶表示素子は、さらに第３のセグメント表示部を含み、該第３のセグメント表示部は、前記第２のセグメント表示部と１０ｍｍ以上離れており、
前記バックライト部材は、さらに、前記第３のセグメント表示部の下方に配置され前記第１及び第２のセグメント表示部の下方には配置されない、前記第１及び第２の色とは異なる第３の色の光を放射する第３の光源を含み、該第３のセグメント表示部に該第３の色の光を入射させ、
前記駆動装置は、前記他方のサブフレームで、さらに、前記第３のセグメント表示部を明表示させるとともに前記第３の光源を点灯させるように、前記液晶表示素子及び前記バックライト部材を制御して、該他方のサブフレームで、前記第２のセグメント表示部を前記第２の色で表示すると同時に、該第３のセグメント表示部を該第３の色で表示する請求項１または２に記載の液晶表示装置。
【請求項４】
前記第１の色は白である請求項１〜３のいずれか１項に記載の液晶表示装置。
【請求項５】
前記バックライト部材は、前記第１及び第２のセグメント表示部を含む平面形状で延在する導光板を含み、前記第１の光源が該導光板の側方外側に配置され、前記第２の光源が該導光板下方の前記第２のセグメント表示部下方に配置されており、前記第２のセグメント表示部は前記第１及び第２の色のいずれでも表示できる請求項１〜４のいずれか１項に記載の液晶表示装置。
【発明の詳細な説明】
【技術分野】
【０００１】
本発明は、カラー表示を行なう液晶表示装置に関する。
【背景技術】
【０００２】
車載用情報表示装置や、オーディオビジュアル（ＡＶ）機器の表示部等に、セグメント表示、またはセグメント表示に加えてドットマトリクス表示が可能な液晶表示装置が用いられる。セグメント表示部をカラー表示可能な液晶表示装置の１つとして、フィールドシーケンシャル（ＦＳ）駆動を行うものがある。ＦＳ駆動の液晶表示装置では、例えば赤緑青（ＲＧＢ）発光可能なマルチカラー発光ダイオード（ＬＥＤ）光源を含むマルチカラーバックライトを用い、点灯色を順次時間的に切り換えることにより、カラー表示を行う。
【０００３】
図７を参照して、従来のＦＳ駆動方法の具体例について説明する。図７は、各セグメントの入力信号と、バックライト点灯状態とを示すタイミングチャートである。液晶表示素子として、ノーマリーブラック型のものを想定している。
【０００４】
１つの画像を表示する時間的単位である１フレーム内に、バックライトがＲ、Ｇ、Ｂそれぞれに点灯する３つのサブフレームＳＢ１〜ＳＢ３が設定されている。例えば、１フレームの長さは１６．７ｍｓであり、各サブフレームの長さは、１フレームを等間隔に３分割した５．５７ｍｓである。
【０００５】
なお、一般に、液晶表示素子は、印加電圧に対する応答がバックライトのそれに比べて遅いため、液晶表示素子がある程度応答するまでバックライトを点灯させないブランク時間を要する。
【０００６】
各サブフレームの切り換え直後から、ブランク時間Ｂが設けられている。ブランク時間Ｂの後、各サブフレームの終了時刻までが、サブフレームに対応する色のバックライトを点灯させるバックライト点灯時間Ｌとなっている。
【０００７】
サブフレーム動作を人間の目に認識されない速度（例えば約１６．７ｍｓ／フレーム、約５．５７ｍｓ／サブフレーム）で駆動させれば、狙い通りの、ちらつきの抑えられたカラー表示を実現可能である。図７に示す例で、セグメント１はＲとＧの混色である黄、セグメント２はＲとＢの混色であるマゼンタ、セグメントｎはＧのみの緑の表示として、人間の目に認識される。
【０００８】
ただし、上述のＦＳ駆動方法（このＦＳ駆動方法を、後述するカラーブレークレスＦＳ駆動方法と区別する場合には、通常のＦＳ駆動方法と呼ぶこととする）では、特に観察者の周囲が暗い場合に、観察者の視線が表示素子から離れた時や、素子自体に振動が加わった場合など（例えば自動車内環境において）、通常状態では人間の目に認識されない、各サブフレームの画像が分離して観察されるカラーブレークと呼ばれる現象が現れる場合がある。この現象は、人間の心理的要因からあまり好ましい表示状態とはいえない。カラーブレーク現象は、特に、白表示部分にはっきり現れることから、混色させる点灯色が多いほど、生じやすいと考えられる。
【０００９】
本願発明者らは、カラーブレーク現象を解消可能なＦＳ駆動方法（カラーブレークレスＦＳ駆動方法）を提案した（特許文献１参照）。
【００１０】
この駆動方法の基本的な考え方は、１フレーム当たり１サブフレームのみで、各セグメント表示部を明表示にするとともに、これに対応する表示色のバックライトを点灯することにより、複数サブフレームを使った混色をせず、カラーブレーク現象を生じさせないというものである。
【００１１】
図８を参照して、カラーブレークレスＦＳ駆動方法の具体例について説明する。図８は、各セグメントの入力信号と、バックライト点灯状態とを示すタイミングチャートである。液晶表示素子として、ノーマリーブラック型のものを想定している。
【００１２】
この例では、１フレームが１６．７ｍｓであり、等間隔の３つのサブフレームを設定している。バックライト発光色は、第１のサブフレームで白とし、第２のサブフレームでオレンジとし、第３のサブフレームで青としている。この駆動方法では、１フレーム内で可能な表示色は、サブフレーム数をＭとして、発光色Ｍに黒を加えたＭ＋１色となる。なお、各サブフレームの間隔は、バックライトの発光色に応じて変化させても良い。即ち、サブフレームは不等間隔でも動作可能である。
【００１３】
この例では、セグメント１で白表示を行い、セグメントｎでオレンジ表示を行い、セグメント２は暗表示のまま（黒表示）である。バックライトの点灯タイミングについて、通常のＦＳ駆動方法と同様に、サブフレーム切り換え直後、液晶表示素子の電気光学応答を待つため約３ｍｓのブランク時間Ｂを設けている。ブランク時間Ｂの後、サブフレームの終了まで、サブフレームに対応する色のバックライトを点灯させるバックライト点灯時間Ｌが設けられる。
【００１４】
このような動作を行うことにより、外観上狙い通りの、ちらつきの無いカラー表示を、カラーブレークなしに実現することが可能である。
【００１５】
上述のようなＦＳ駆動（通常のＦＳ駆動及びカラーブレークレスＦＳ駆動）では、サブフレームごとに点灯色を変えられるマルチカラー光源が用いられる。マルチカラー光源は、多色を生成するために例えば複数の原色を点灯する発光素子を含む。これに起因して、例えば、発光素子の使用数量が多くなり、ドライバーＩＣ端子数が増大する。
【先行技術文献】
【特許文献】
【００１６】
【特許文献１】特許第３８９４３２３号公報
【発明の概要】
【発明が解決しようとする課題】
【００１７】
本発明の一目的は、マルチカラー光源を用いずカラーブレークレスフィールドシーケンシャル駆動を行なってカラー表示可能な液晶表示装置を提供することである。
【課題を解決するための手段】
【００１８】
本発明の一観点によれば、表示領域内に第１及び第２のセグメント表示部を含む液晶表示素子と、少なくとも前記第１のセグメント表示部の表示面法線方向下方、または前記第１のセグメント表示部の側方外側に配置され第１の色の光を放射する第１の光源、及び、前記第２のセグメント表示部の下方に配置され前記第１のセグメント表示部の下方には配置されない、前記第１の色と異なる第２の色の光を放射する第２の光源を含み、該第１のセグメント表示部に該第１の色の光を、該第２のセグメント表示部に該第２の色の光を入射させるバックライト部材と、表示の時間的単位である１フレームを２つのサブフレームに分割してフィールドシーケンシャル駆動を行う駆動装置であって、１フレーム当たり、一方のサブフレームで前記第１のセグメント表示部を明表示させるとともに前記第１の光源を点灯させ、他方のサブフレームで前記第２のセグメント表示部を明表示させるとともに前記第２の光源を点灯させるように、前記液晶表示素子及び前記バックライト部材を制御して、前記第１及び第２のセグメント表示部をそれぞれ前記第１及び第２の色で表示する駆動装置とを有する液晶表示装置が提供される。
【発明の効果】
【００１９】
表示領域内で配置位置を異ならせた、第１の色の第１の光源と、第２の色の第２の光源とを使い、１フレーム内が２つのサブフレームに分割されたフィールドシーケンシャル駆動を行なって、一方のサブフレームで第１のセグメント表示部を第１の色で、他方のサブフレームで第２のセグメント表示部を第２の色で表示することにより、マルチカラー光源が不要で、第１の色と第２の色との混色が防止されたカラー表示動作を行なう液晶表示装置が実現される。
【図面の簡単な説明】
【００２０】
【図１】図１は、本発明の第１〜第３の実施例による液晶表示装置の概略斜視図である。
【図２】図２は、第１〜第３の実施例の液晶表示素子の表示パターンを示す概略平面図である。
【図３】図３は、第１の実施例の液晶表示装置のバックライトユニットを示す概略平面図である。
【図４】図４Ａ及び図４Ｂは、それぞれ、第１の実施例及びその変形例の液晶表示装置のカラー表示モード時のフィールドシーケンシャル駆動のタイミングチャートである。
【図５】図５は、第２の実施例の液晶表示装置のバックライトユニットを示す概略断面図である。
【図６】図６は、第３の実施例の液晶表示装置のバックライトユニットを示す概略平面図である。
【図７】図７は、通常のフィールドシーケンシャル駆動の例を示すタイミングチャートである。
【図８】図８は、比較例のカラーブレークレスフィールドシーケンシャル駆動の例を示すタイミングチャートである。
【発明を実施するための形態】
【００２１】
まず、本発明の実施例による第１〜第３の液晶表示装置に共通な構造について説明する。
【００２２】
図１は、これらの実施例の液晶表示装置の概略斜視図である。相互にクロスニコル配置された偏光板１、４の間に、垂直配向型液晶セル３が挟まれて、垂直配向型液晶表示素子１０が形成されている。垂直配向型液晶セル３は、所望の表示を可能な電極パターンが内面に形成された上下ガラス基板と、上下ガラス基板の間に挟まれた液晶層とを含む。
【００２３】
液晶層中の液晶分子は、電圧無印加時、上下ガラス基板表面に対してほぼ垂直方向に配向しており、電圧印加によって、垂直方向から倒れ込む。垂直配向型液晶表示素子１０は、電圧無印加時に暗表示を行い電圧印加時に明表示を行うノーマリーブラック型表示素子となる。
【００２４】
必要に応じて、垂直配向型液晶セル３と、上下偏光板１、４との間の少なくとも一方に、視角補償板が配置される。この例では、垂直配向型液晶セル３と上側偏光板１との間に、視角補償板２が配置されている。下側偏光板４の下方に、バックライトユニット５（あるいは５Ａ、５Ｂ）が配置されている。
【００２５】
駆動装置６が、液晶表示素子１０の表示状態とバックライトユニット５（５Ａ、５Ｂ）の点灯状態を同期制御して、フィールドシーケンシャル駆動を行う。
【００２６】
実施例の液晶セル３の応答特性として、以下のようなものを想定している。電圧印加開始により暗表示状態から明表示状態に切り換わる立ち上がりの応答速度は約２ｍｓであるが、電圧印加から光透過率の上昇が始まるまでに約１．４ｍｓの遅延時間がある。また、電圧印加終了により明表示状態から暗表示状態に切り換わる立ち下がりの応答速度は約２．５ｍｓである。
【００２７】
次に、第１〜第３の実施例に共通な、液晶表示素子１０の表示パターンについて説明する。
【００２８】
図２は、これらの実施例の液晶表示素子１０の表示パターンを示す概略平面図である。例えば、車載機器の情報表示パネルを想定している。有効表示領域１００の上段に、「ＡＭ」という文字を示す１セグメントの表示部２１と、時刻表示するセグメント表示部２２が配置されている。「ＡＭ」という文字表示部２１が、時刻表示部２２の左側に配置されている。時刻表示部２２は、３桁の７セグメント表示部と、左から１桁目と２桁目との間の「：」（コロン）を示す１セグメントの表示部を有する。
【００２９】
有効表示領域１００の下段に、左右それぞれに、「ＴＥＭＰ」という文字を示す１セグメントの表示部２３、２４と、温度表示するセグメント表示部２５、２６が配置されている。各温度表示部２５、２６の上に、それぞれ「ＴＥＭＰ」という文字表示部２３、２４が配置されている。温度表示部２５、２６は、それぞれ２桁の７セグメント表示部を有する。
【００３０】
これらのセグメント表示部は、主として白表示するが、例えばユーザの注意を促すために、一部のセグメント表示部をカラー表示する。
【００３１】
この例では、時刻表示部２２、左右の「ＴＥＭＰ」という文字表示部２３、２４、及び、右側の温度表示部２６は白表示される。そして、「ＡＭ」という文字表示部２１は黄表示され、左側の温度表示部２５は赤表示される。
【００３２】
次に、第１の実施例の液晶表示装置のバックライトユニット５について説明する。第１の実施例の液晶表示装置は、「ＡＭ」という文字表示部２１、及び左側の温度表示部２５も通常は白表示し、特定の状況でこれら表示部２１、２５をカラー表示とするものである。
【００３３】
図３は、第１の実施例の液晶表示装置のバックライトユニット５を示す概略平面図である。第１の実施例のバックライトユニット５は、有効表示領域１００に対応する大きさの散乱板３１と、散乱板３１の（表示面法線方向）下方に配置された各色の光源３２Ｗ、３２Ｙ、３２Ｒを有する。各色の光源３２Ｗ、３２Ｙ、３２Ｒとして、例えば、ほぼ点光源として扱われる無機発光ダイオード（ＬＥＤ）が用いられる。
【００３４】
白色光源３２Ｗが、散乱板３１を透過後の白色光が有効表示領域１００全面をほぼ均一に照射するように、有効表示領域１００内の全域に、一定間隔で配置されている。なお、白色光源は、クロスハッチングを付して示す。
【００３５】
黄表示する「ＡＭ」という文字表示部２１より一回り大きく、文字表示部２１を内包する範囲が、黄色の光を照射したい黄色照射領域３３Ｙである。散乱板３１を透過後の黄色光が黄色照射領域３３Ｙをほぼ均一に照射するように、黄色照射領域３３Ｙの下方に（「ＡＭ」という文字表示部２１の下方に）選択的に、黄色光源３２Ｙが配置されている。なお、黄色光源は、左上りのハッチングを付して示す。
【００３６】
赤表示する温度表示部２５より一回り大きく、温度表示部２５を内包する範囲が、赤色の光を照射したい赤色照射領域３３Ｒである。散乱板３１を透過後の赤色光が赤色照射領域３３Ｒをほぼ均一に照射するように、赤色照射領域３３Ｒの下方に（温度表示部２５の下方に）選択的に、赤色光源３２Ｒが配置されている。なお、赤色光源は、右上りのハッチングを付して示す。
【００３７】
このような白色光源、黄色光源、及び赤色光源の配置により、「ＡＭ」という文字表示部２１は、主たる表示色の白と従たる表示色の黄で表示でき、温度表示部２５は、主たる表示色の白と従たる表示色の赤で表示できる。
【００３８】
各表示色（特に従たる表示色）の光源が、対応するセグメント表示部の下方に選択的に配置されていることにより、表示色同士の混色が抑制されている。
【００３９】
全表示部を白表示する動作モードを白表示モードと呼ぶこととする。そして、文字表示部２１と温度表示部２５は白以外の従たる色でカラー表示し、残りの表示部は主たる白で表示する動作モードをカラー表示モードと呼ぶことにする。
【００４０】
次に、第１の実施例の液晶表示装置のカラー表示モードの駆動方法について説明する。図２に示す表示パターンの、白表示される右側の「ＴＥＭＰ」という１セグメントの表示部をセグメントＳ１と呼び、赤表示される左側の温度表示部２５を代表して、右側の桁の７セグメント表示部のうち右下側のセグメント表示部をセグメントＳ２と呼び、黄表示される「ＡＭ」という１セグメントの表示部をセグメントＳ３と呼ぶこととする。
【００４１】
図４Ａは、第１の実施例の液晶表示装置のカラー表示モード時のフィールドシーケンシャル駆動のタイミングチャートである。セグメントＳ１〜Ｓ３それぞれの電圧印加状態と光透過率、及び、各色光源の点灯状態を示す。
【００４２】
フレームを表示の時間単位とする駆動シーケンスが繰り返される。例えば、フレーム周波数は５０Ｈｚであり、１フレームは２０ｍｓである。２フレーム分（フレームＦ１とＦ２）を図示する。１フレームは２つのサブフレームＳＢ１とＳＢ２とに分割されている。この例では、フレームを均等に分割し、１サブフレームは１０ｍｓである。
【００４３】
まず、セグメントＳ１〜Ｓ３それぞれの電圧印加状態と光透過率について説明する。サブフレームＳＢ１の開始時刻に、セグメントＳ１への電圧印加が開始される。しかし、液晶セルの応答特性により、電圧印加開始から明表示の光透過率に達するまでに立ち上がりの応答時間約２．０ｍｓを要し、また電圧印加から光透過率の増加が開始するまでに約１．４ｍｓの遅延時間を要する。明表示の光透過率に達した後、サブフレームＳＢ１終了時刻まで、明表示状態が保たれる。
【００４４】
サブフレームＳＢ１の終了時刻、つまり、それに続くサブフレームＳＢ２の開始時刻に、セグメントＳ１への電圧印加が終了する。しかし、液晶セルの応答特性により、電圧印加終了から暗表示の光透過率に達するまでに立ち下がりの応答時間約２．５ｍｓを要する。
【００４５】
一方、セグメントＳ２及びＳ３は、サブフレームＳＢ２で電圧印加される。セグメントＳ２、Ｓ３も、液晶セルの応答特性により、セグメントＳ１と同様な光透過率の変化を示す。
【００４６】
次に、各色光源の点灯状態について説明する。サブフレームＳＢ１の直前のサブフレームＳＢ２で、赤表示のセグメントＳ２及び黄表示のセグメントＳ３が明表示状態にされている。サブフレームＳＢ２の終了時刻、つまりサブフレームＳＢ１の開始時刻に、セグメントＳ２及びＳ３への電圧印加が終了するが、セグメントＳ２及びＳ３が暗表示状態となるまでに約２．５ｍｓの立ち下がり応答時間を要する。
【００４７】
直前のサブフレームＳＢ２で明表示状態になっている赤表示セグメントＳ２及び黄表示セグメントＳ３への白色光の混色を防ぐために、サブフレームＳＢ１で、立ち下がり応答時間と同程度のブランク時間（この例では２．５ｍｓ）を待って、白色点灯が開始される。白色点灯は、サブフレームＳＢ１の終了時刻まで持続される。
【００４８】
一方、サブフレームＳＢ２では、直前のサブフレームＳＢ１で明表示状態になっている白表示セグメントＳ１への赤色光及び黄色光の混色を防ぐために、サブフレームの開始時刻からブランク時間を待って、赤色点灯及び黄色点灯が開始される。赤色点灯及び黄色点灯は、サブフレームＳＢ２の終了時刻まで持続される。
【００４９】
各色の点灯時間は、１フレーム当たり７．５ｍｓ（サブフレーム時間１０ｍｓ−ブランク時間２．５ｍｓ）となる。
【００５０】
このように、第１の実施例の液晶表示装置では、どのセグメント表示部も１フレーム当たり１つのサブフレームでしか明表示にされないカラーブレークレスフィールドシーケンシャル駆動が行われる。
【００５１】
図８を参照して説明したカラーブレークレスフィールドシーケンシャル駆動を、比較例とする。比較例の、通常のカラーブレークレスフィールドシーケンシャル駆動は、マルチカラー光源を用い、マルチカラー光源の発光色をサブフレームごとに変えることにより、各サブフレームで所望の表示色を得ている。
【００５２】
一方、第１の実施例の液晶表示装置は、各表示色（特に従たる表示色）の単色の光源を、対応するセグメント表示部の下方に選択的に配置することにより、マルチカラー光源を用いないでカラーブレークレスフィールドシーケンシャル駆動を行なっている。
【００５３】
各表示色（特に従たる表示色）の光源が、対応するセグメント表示部の下方に選択的に配置されていることにより、表示色の混色が抑制されている。
【００５４】
なお、主たる表示色である白と、従たる表示色である赤及び黄とは、カラーブレークレスフィールドシーケンシャル駆動で、別のサブフレームで表示することにより、混色が防止されている。
【００５５】
ただし、従たる表示色の赤と黄とは、同じサブフレームで表示されるので、混色の懸念がある。第１の実施例の表示パターンでは、赤表示される温度表示部２５と黄表示される「ＡＭ」という文字表示部２１とが、赤及び黄表示のサブフレームと別サブフレームで白表示される、左側の「ＴＥＭＰ」という文字表示部２３を挟んで離されている。
【００５６】
このように、従たる表示色が２色以上のとき、これらの表示部を、主たる白表示部を挟んで互いに離すことにより、従たる表示色同士の混色抑制効果を高めている。
【００５７】
また、従たる表示色が２色以上のとき、（表示面内で）これらの表示部同士の最短距離を１０ｍｍ以上、より好ましくは２０ｍｍ以上離すことが、これらの表示色同士の混色抑制効果を高めるため好ましい。
【００５８】
なお、主たる白表示と従たるカラー表示のサブフレームを等時間とする例を説明したが、主たる白表示を明るくするために、白表示のサブフレームの方を長く設定することもできる。
【００５９】
なお、全表示部を白表示する白表示モードで動作させるときは、フィールドシーケンシャル駆動を停止し、全面で白色光源を常時点灯させ、液晶表示素子とバックライトユニットとを非同期駆動させる。
【００６０】
次に、第１の実施例の変形例のカラー表示モードの駆動方法について説明する。
【００６１】
図４Ｂは、第１の実施例の変形例のカラー表示モード時のフィールドシーケンシャル駆動のタイミングチャートである。セグメントＳ１〜Ｓ３それぞれの電圧印加状態と光透過率、及び、各色光源の点灯状態を示す。
【００６２】
第１の実施例のカラー表示モードについて説明したように、例えば、サブフレームＳＢ１の終了時刻、つまりサブフレームＳＢ２の開始時刻に、セグメントＳ１への電圧印加が終了し、セグメントＳ１が約２．５ｍｓの立ち下がり応答速度で暗表示状態に切り換わる。
【００６３】
一方、サブフレームＳＢ２の開始時刻に、セグメントＳ２及びＳ３への電圧印加が開始するが、光透過率の増加が開始するまでの約１．４ｍｓの遅延時間の間、セグメントＳ２及びＳ３は暗表示状態が保たれる。
【００６４】
従って、サブフレームＳＢ２の開始時刻から遅延時間約１．４ｍｓの間であれば、セグメントＳ２及びＳ３がまだ暗表示状態に保たれている一方で、セグメントＳ１はある程度の光透過状態を保っている。
【００６５】
サブフレームＳＢ１で点灯させた白色光源を、サブフレームＳＢ２の初期のこの遅延時間内に延長して点灯させれば、セグメントＳ２及びＳ３に白色が混色することを防止して、セグメントＳ１の表示輝度を向上させることができる。
【００６６】
同様にして、サブフレームＳＢ１の初期に、サブフレームＳＢ２で点灯させた赤色光源及び黄色光源を延長して点灯させれば、セグメントＳ１に赤色及び黄色が混色することを防止して、セグメントＳ２及びＳ３の表示輝度を向上させることができる。
【００６７】
第１の実施例の変形例のカラー表示モードは、このようなバックライトの点灯延長を行うものである。次のサブフレームでの点灯の延長時間は例えば約１ｍｓである。他の点は、第１の実施例の駆動方法と同様である。
【００６８】
次に、第２の実施例の液晶表示装置について説明する。第２の実施例は、第１の実施例と表示パターンは同様（図２参照）であるが、バックライトユニット構造が異なる。第２の実施例も第１の実施例と同様に、主として白表示を行い、「ＡＭ」という文字表示部２１、及び左側の温度表示部２５も通常は白表示し、特定の状況でこれら表示部２１、２５をカラー表示とする。
【００６９】
第１の実施例のバックライトユニットは、すべての色の光源をセグメント表示部の下方に配置した直下型構造であった。第２の実施例のバックライトユニットは、以下に説明するように、主たる表示色の白色の光源についてはサイドライト型構造とし、従たるカラー表示色（赤色、黄色）の光源については直下型構造とする。
【００７０】
図５は、第２の実施例の液晶表示装置のバックライトユニット５Ａを示す概略断面図である。図２に示した表示パターンの、赤表示の左側温度表示部２５と白表示の右側温度表示部２６を横断する点線ＡＢに沿った断面を示す。
【００７１】
第２の実施例のバックライトユニット５Ａは、有効表示領域に対応する大きさの導光板４１と、導光板４１の端面上に配置された白色光源４２Ｗを有する。すなわち、白色光源４２Ｗは、白表示されるセグメント表示部の下方ではなく、側方外側に配置されており、白色光についてサイドライト型のバックライト構造が形成されている。導光板４１が、白色光源４２Ｗから放出された光を、有効表示領域全面の上方にほぼ均一に照射する。  
【００７２】
赤色の光を照射したい赤色照射領域４３Ｒの下方に選択的に、赤色光源４２Ｒが配置されている。赤色光源４２Ｒからの光を面内方向への広がりが限定されるように上方に反射させる反射面を有する赤色光反射部材４４が、赤色光源４２Ｒの光を赤色照射領域４３Ｒに導く。
【００７３】
同様にして、黄色の光を照射したい黄色照射領域の下方に選択的に、黄色光源が配置され、黄色光源からの光を面内方向への広がりが限定されるように上方に反射させる反射面を有する黄色光反射部材が、黄色光源の光を黄色照射領域に導く。赤色光、黄色光については、直下型のバックライト構造が形成されている。
【００７４】
カラー表示モードあるいは白表示モードでの駆動方法は、第２の実施例の液晶表示装置も、第１の実施例あるいはその変形例と同様である。
【００７５】
カラー表示モードにおいて、第２の実施例の液晶表示装置も、特に従たるカラー各表示色の単色の光源が、対応するセグメント表示部の下方に選択的に配置されていることにより、マルチカラー光源を用いないでカラーブレークレスフィールドシーケンシャル駆動を行うことができる。
【００７６】
次に、第３の実施例の液晶表示装置について説明する。第３の実施例は、第１の実施例と表示パターン形状は同様（図２参照）であるが、「ＡＭ」という文字表示部２１、及び左側の温度表示部２５は、赤、黄でのカラー表示しか行なわない。すなわち、カラー表示部を、白表示と切り替えず常時所定色のカラー表示とする。
【００７７】
図６は、第３の実施例の液晶表示装置のバックライトユニット５Ｂを示す概略平面図である。第３の実施例のバックライトユニット５Ｂは、第１の実施例のバックライトユニット５（図３参照）から、黄色照射領域３３Ｙ（５３Ｙ）及び赤色照射領域３３Ｒ（５３Ｒ）を照射する白色光源３２Ｗ（５２Ｗ）を取り除いた構造である。
【００７８】
つまり、「ＡＭ」という文字表示部２１及び温度表示部２５は、それぞれ、黄表示及び赤表示しかしないので、これらの表示部下方にそれぞれ黄色光源５３Ｙ及び５３Ｒのみが配置され、白色光源５２Ｗは配置されていない。その他の白色表示される表示部の下方のみに、白色光源５２Ｗが配置されている。
【００７９】
第３の実施例の液晶表示装置は、第１の実施例あるいはその変形例の液晶表示装置から白表示モードでの動作機能を除いたものと言え、カラー表示モードの第１の実施例あるいはその変形例と同様に駆動され、これら実施例及び変形例と同等に動作する。
【００８０】
上述の、第１の実施例、その変形例、第２の実施例、及び第３の実施例のカラー表示動作を行なう液晶表示装置を作製し、外観観察を行なったところ、良好な表示状態が得られた。
【００８１】
以上説明したように、各色の単色の光源を、対応するセグメント表示部を照射するように選択的に配置したバックライト構造を用いることにより、マルチカラー光源を用いずに、カラーブレークレスフィールドシーケンシャル駆動のカラー表示を行なうことができる。
【００８２】
なお、上述の実施例では、ベースとなる表示色（実施例では白）に加えて表示するカラー表示色として、２色（実施例では赤と黄）を表示する液晶表示装置を例示したが、ベースとなる表示色に加えて表示するカラー表示色は、必要に応じて、１色あるいは３色以上とすることができる。
【００８３】
なお、液晶表示装置の表示パターンは、上述の実施例のようなカラー表示動作を行なうセグメント表示部に加えて、マトリクス表示部を含むものであってもよい。
【００８４】
以上の実施例の技術が適用できる製品として、情報表示装置全般が挙げられる。例えば、車載用情報表示装置、カーオーディオ等オーディオビジュアル機器の表示部、コピー機等事務機器の操作パネル表示部等である。
【００８５】
以上実施例に沿って本発明を説明したが、本発明はこれらに制限されるものではない。例えば、種々の変更、改良、組み合わせ等が可能なことは当業者に自明であろう。
【符号の説明】
【００８６】
１、４  偏光板
２  視角補償板
３  液晶セル
１０  液晶表示素子
５  バックライトユニット
６  駆動装置
２１〜２６  セグメント表示部
３１  散乱板
３２Ｗ  白色光源
３２Ｙ  黄色光源
３２Ｒ  赤色光源
３３Ｙ  黄色照射領域
３３Ｒ  赤色照射領域
【図１】
2010266746.tif 000003
【図２】
2010266746.tif 000004
【図３】
2010266746.tif 000005
【図４】
2010266746.tif 000006
【図５】
2010266746.tif 000007
【図６】
2010266746.tif 000008
【図７】
2010266746.tif 000009
【図８】
2010266746.tif 000010